(57)【要約】【課題】駆動モータを小型化しながらも、可動体の駆動停止時における振動を抑えることができる遊技台を提供する。【解決手段】スロットマシン１００は、駆動モータ６１６と、駆動モータ６１６と動力伝達可能に連結されたヘリカルギヤで構成される駆動ギヤ６１８と、駆動ギヤ６１８と噛合したヘリカルギヤで構成される可動体ギヤ６２０と、可動体ギヤ６２０と動力伝達可能に連結された可動体１１０（１１１、１１２）と、ブレーキ体６３０と、を有し、駆動ギヤ６１８および可動体ギヤ６２０の少なくとも一方は、駆動ギヤ６１８および可動体ギヤ６２０が互いに噛合可能な範囲内でスラスト方向に移動可能であり、ブレーキ体６３０は、駆動ギヤ６１８および可動体ギヤ６２０の少なくとも一方がスラスト方向に移動した場合に、駆動ギヤ６１８、可動体ギヤ６２０および可動体１１０（１１１、１１２）の少なくとも一つと当接するように配設される。【選択図】図４
2008212516.tif 000002
【特許請求の範囲】
【請求項１】
駆動モータと、
前記駆動モータと動力伝達可能に連結されたヘリカルギヤで構成される駆動ギヤと、
前記駆動ギヤと噛合したヘリカルギヤで構成される可動体ギヤと、
前記可動体ギヤと動力伝達可能に連結された可動体と、
ブレーキ体と、を有し、
前記駆動ギヤおよび前記可動体ギヤの少なくとも一方は、前記駆動ギヤおよび前記可動体ギヤが互いに噛合可能な範囲内でスラスト方向に移動可能であり、
前記ブレーキ体は、前記駆動ギヤおよび前記可動体ギヤの少なくとも一方がスラスト方向に移動した場合に、前記駆動ギヤ、前記可動体ギヤおよび前記可動体の少なくとも一つと当接するように配設されることを特徴とする、遊技台。
【請求項２】
前記可動体ギヤは、
前記駆動モータが駆動を開始した場合に、前記ブレーキ体から離れる方向に移動し、
前記駆動モータが駆動を停止した場合に、前記ブレーキ体と当接する方向に移動することを特徴とする、
請求項１に記載の遊技台。
【請求項３】
前記ブレーキ体は、前記駆動モータが駆動を停止した場合に前記可動体の動作を停止させるように機能することを特徴とする、
請求項１または２に記載の遊技台。
【請求項４】
前記可動体を回転可能に支持する支持体をさらに有し、
前記可動体は、複数種類の図柄が施されたリール帯と、前記リール帯を支持するリール枠と、を有して構成される回転体であり、
前記支持体は、前記可動体のスラスト方向の移動を抑止することを特徴とする、
請求項１乃至３のいずれかに記載の遊技台。
【請求項５】
前記可動体ギヤは、前記可動体をスラスト方向に付勢する付勢部を備えることを特徴とする、
請求項１乃至４に記載の遊技台。
【発明の詳細な説明】
【技術分野】
【０００１】
本発明は、スロットマシンやパチンコ遊技機に代表される遊技台に関する。
【背景技術】
【０００２】
従来の遊技台（例えばスロットマシン）は、内部の抽選結果を視覚的に表示するための回転体（一般にはリールやドラム等と称される）と、ステッピングモータなどの駆動モータによって回転体の回転・停止制御を行う駆動装置によって構成される可変表示装置を備えている。
【０００３】
ところで、このような可変表示装置の駆動装置において、いわゆる直動式の駆動装置（回転体を駆動モータで直接駆動する装置）を採用した場合には、十分なトルクを確保するために大容量の駆動モータを適用する必要があり、可変表示装置の大型化、重量増加、コストアップなどが問題となる。
【０００４】
このような従来の問題点を解決する一手段として、例えば特許文献１には、リール（回転体）の回転軸に従動ギヤ体を配設し、この従動ギヤ体をモータに配設した駆動ギヤで回転駆動するようにした遊技台が開示されている。この遊技台によれば、従動ギヤ体および駆動ギヤの作用によってリールの回転に必要なトルクを減らすことができるため、駆動モータの小型化を図ることができる。
【特許文献１】特開２００４−２７５６０６号公報
【発明の開示】
【発明が解決しようとする課題】
【０００５】
しかしながら、上記特許文献１記載の遊技台では、従動ギヤ体と駆動ギヤとの間に生じるガタについては特に対策が採られておらず、このようなガタによってリールの回転停止時において振動が発生し易いといった問題点がある。すなわち、リールを停止させる場合、ステッピングモータは直ちに回転を停止するのに対して、リールは回転慣性力（イナーシャ力）によって回転し続けようとするため、ガタの分だけ正方向および逆方向に回転（振動）を繰り返し、遊技を楽しむ遊技者にとっては非常に目障りで、遊技性を阻害する一因ともなっていた。
【０００６】
また、従来の遊技台の中には、リールの他に、遊技を盛り上げるための多種多様な可動体（回転運動や直線運動などを行う物体）を備えた遊技台が存在するが、このような可動体においてもリールと事情は同じであり、可動体の停止時における振動が問題となっていた。
【０００７】
本発明は、このような問題を解決するためになされたものであって、リールなどの可動体を駆動する駆動モータを小型化することが可能でありながら、同時に、可動体の駆動停止時における振動を抑えることができる遊技台を提供することを目的とする。
【課題を解決するための手段】
【０００８】
（１）本発明は、駆動モータと、前記駆動モータと動力伝達可能に連結されたヘリカルギヤで構成される駆動ギヤと、前記駆動ギヤと噛合したヘリカルギヤで構成される可動体ギヤと、前記可動体ギヤと動力伝達可能に連結された可動体と、ブレーキ体と、を有し、前記駆動ギヤおよび前記可動体ギヤの少なくとも一方は、前記駆動ギヤおよび前記可動体ギヤが互いに噛合可能な範囲内でスラスト方向に移動可能であり、前記ブレーキ体は、前記駆動ギヤおよび前記可動体ギヤの少なくとも一方がスラスト方向に移動した場合に、前記駆動ギヤ、前記可動体ギヤおよび前記可動体の少なくとも一つと当接するように配設されることを特徴とする、遊技台である。
【０００９】
（２）本発明はまた、前記可動体ギヤは、前記駆動モータが駆動を開始した場合に、前記ブレーキ体から離れる方向に移動し、前記駆動モータが駆動を停止した場合に、前記ブレーキ体と当接する方向に移動することを特徴とする、上記（１）に記載の遊技台である。
【００１０】
（３）本発明はまた、前記ブレーキ体は、前記駆動モータが駆動を停止した場合に前記可動体の動作を停止させるように機能することを特徴とする、上記（１）または（２）に記載の遊技台である。
【００１１】
（４）本発明はまた、前記可動体を回転可能に支持する支持体をさらに有し、前記可動体は、複数種類の図柄が施されたリール帯と、前記リール帯を支持するリール枠と、を有して構成される回転体であり、前記支持体は、前記可動体のスラスト方向の移動を抑止することを特徴とする、上記（１）乃至（３）のいずれかに記載の遊技台である。
【００１２】
（５）本発明はまた、前記可動体ギヤは、前記可動体をスラスト方向に付勢する付勢部を備えることを特徴とする、上記（１）乃至（４）に記載の遊技台である。
【発明の効果】
【００１３】
本発明に係る遊技台は、リールなどの可動体を駆動する駆動モータを小型化することが可能でありながら、同時に、可動体の駆動停止時における振動を抑えることができるという優れた効果を有する。
【発明を実施するための最良の形態】
【００１４】
以下、図面を用いて、本発明の実施例１および２に係るスロットマシン（遊技台）について詳細に説明する。
【実施例１】
【００１５】
<全体構成>
【００１６】
まず、図１を用いて、本実施例１に係るスロットマシン１００の全体構成について説明する。なお、図１はスロットマシン１００の外観斜視図を示したものである。
【００１７】
スロットマシン１００は、略箱状の本体１０１と、この本体１０１の前面開口部に取り付けられた前面扉１０２とを有して構成されている。
【００１８】
スロットマシン１００の本体１０１の中央内部には、外周面に複数種類の図柄が所定コマ数だけ配置されたリールが３個（左リール１１０、中リール１１１、右リール１１２）収納され、各リール１１０〜１１２がスロットマシン１００の内部で回転できるように構成されている。なお、本実施例１では、３個のリールをスロットマシン１００の中央内部に備えているが、リールの数やリールの設置位置はこれに限定されるものではない。
【００１９】
リール１１０〜１１２上の図柄は、遊技者から見ると、図柄表示窓１１３から縦方向に概ね３つ表示され、合計９つの図柄が見えるようになっている。そして、各リール１１０〜１１２を回転させることにより、遊技者から見える図柄の組み合せが変動することとなる。なお、これらの各リール１１０〜１１２を有して構成される可変表示装置６０２については後述する。
【００２０】
入賞ライン表示ランプ１２０は、有効となる入賞ラインを示すランプである。有効となる入賞ラインは、スロットマシン１００に投入されたメダルの数によって予め定まっている。５本の入賞ライン１１４のうち、例えば、メダルが１枚投入された場合、中段の水平入賞ラインが有効となり、メダルが２枚投入された場合、上段水平入賞ラインと下段水平入賞ラインが追加された３本が有効となり、メダルが３枚投入された場合、右下り入賞ラインと右上り入賞ラインが追加された５本が入賞ラインとして有効になる。なお、入賞ライン１１４の数については５本に限定されるものではない。
【００２１】
スタートランプ１２１は、リール１１０〜１１２が回転することができる状態にあることを遊技者に知らせるランプである。再遊技ランプ１２２は、前回の遊技において入賞役の一つである再遊技役に入賞した場合に、今回の遊技が再遊技可能であること（メダルの投入が不要であること）を遊技者に知らせるランプである。告知ランプ１２３は、内部抽選において、特定の入賞役（例えば、ＢＢ（ビッグボーナス）やＲＢ（レギュラーボーナス）等のボーナス）に内部当選していることを遊技者に知らせるランプである。メダル投入ランプ１２４は、メダルの投入が可能であることを知らせるランプである。払出枚数表示器１２５は、何らかの入賞役に入賞した結果、遊技者に払出されるメダルの枚数を表示するための表示器である。遊技回数表示器１２６は、メダル投入時のエラー表示や、ビッグボーナスゲーム中（ＢＢゲーム中）の遊技回数、所定の入賞役の入賞回数等を表示するための表示器である。貯留枚数表示器１２７は、スロットマシン１００に電子的に貯留されているメダルの枚数を表示するための表示器である。リールパネルランプ１２８は、演出用のランプである。
【００２２】
メダル投入ボタン１３０、１３１は、スロットマシン１００に電子的に貯留されているメダルを所定の枚数分投入するためのボタンである。本実施例１においては、メダル投入ボタン１３０が押下される毎に１枚ずつ最大３枚まで投入され、メダル投入ボタン１３１が押下されると３枚投入されるようになっている。メダル投入口１３４は、遊技を開始するに当たって遊技者がメダルを投入するための投入口である。すなわち、メダルの投入は、メダル投入ボタン１３０または１３１により電子的に投入することもできるし、メダル投入口１３４から実際のメダルを投入することもできる。精算ボタン１３２は、スロットマシン１００に電子的に貯留されたメダルおよびベットされたメダルを精算し、メダル払出口１５５よりメダル受皿１５６に排出するためのボタンである。メダル返却ボタン１３３は、投入されたメダルが詰まった場合に押下してメダルを取り除くためのボタンである。
【００２３】
スタートレバー１３５は、遊技の開始操作を行うためのレバー型のスイッチである。即ち、メダル投入口１３４に所望する枚数のメダルを投入して、スタートレバー１３５を操作すると、これを契機としてリール１１０〜１１２が回転し、遊技が開始される。ストップボタン１３７〜１３９は、スタートレバー１３５の操作によって回転を開始したリール１１０〜１１２に対する停止操作を行うためのボタンであり、各リール１１０〜１１２に対応して設けられている。そして、いずれかのストップボタン１３７〜１３９を操作すると対応するいずれかのリール１１０〜１１２が停止することになる。
【００２４】
ドアキー１４０は、スロットマシン１００の前面扉１０２のロックを解除するためのキーを挿入する孔である。メダル払出口１５５は、メダルを払出すための払出口である。メダル受皿１５６は、メダル払出口１５５から払出されたメダルを溜めるための器である。なお、メダル受皿１５６は、本実施例１では発光可能な受皿を採用しており、以下受皿ランプと呼ぶこともある。
【００２５】
上部ランプ１５０、サイドランプ１５１、中央ランプ１５２、腰部ランプ１５３、下部ランプ１５４、受皿ランプ１５６は、遊技を盛り上げるための装飾用のランプである。演出装置１５７は、例えば開閉自在な扉（シャッター）を備えた扉装置１６３が前面に取り付けられた液晶表示装置１５８を含み、この演出装置１５７には、例えば小役告知等の各種の情報が表示される。音孔１６０は、スロットマシン１００内部に設けられているスピーカの音を外部に出力するための孔である。タイトルパネル１６２には、スロットマシン１００を装飾するための図柄が描かれる。
【００２６】
<制御部>
【００２７】
次に、図２を用いて、このスロットマシン１００の制御部の回路構成について詳細に説明する。
【００２８】
スロットマシン１００の制御部は、遊技の中枢部分を制御する主制御部３００と、主制御部３００より送信されたコマンドに応じて各種機器を制御する副制御部４００と、演出装置１５７を制御する表示制御部５００と、によって構成されている。
【００２９】
<主制御部>
【００３０】
まず、スロットマシン１００の主制御部３００について説明する。
【００３１】
マイクロプロセッサ（以下、ＭａｉｎＣＰＵと称す）３１０は、スロットマシン１００における制御の中枢となるものであり、バス３７０を介して、周辺部との間で制御信号やデータの受渡しが行われる。
【００３２】
乱数発生器３１１は、乱数を発生するもので、複数のカウンタ、クロック発振器、分周器およびラッチ回路等で構成される。乱数発生器３１１が発生した乱数値は、バス３７０を介して、ＲＡＭ３１３の乱数記憶領域に記憶され、必要に応じてＭａｉｎＣＰＵ３１０へ送られる。乱数値は、複数種類存在し、それぞれ処理内容に応じて使用される。
【００３３】
また、ＭａｉｎＣＰＵ３１０には、入力インターフェース３６０およびバス３７０を介して、ストップボタン１３７〜１３９のいずれかが押された場合、どのストップボタンが押されたかを検知する左ストップボタンセンサ３４１、中ストップボタンセンサ３４２、および、右ストップボタンセンサ３４３と、スタートレバー１３５の操作を検知するスタートレバーセンサ３４４と、メダル投入ボタン１３０、１３１のいずれかが押下された場合、どのメダル投入ボタンが押されたかを検知する１枚投入ボタンセンサ３４５、２枚投入ボタンセンサ３４６、および、３枚投入ボタンセンサ３４７と、精算ボタン１３２の押下に伴って動作する精算ボタンスイッチ３４８と、メダル投入口１３４より投入されたメダルを検知する第１メダルセンサ（メダルセンサ１）３４９および第２メダルセンサ（メダルセンサ２）３５０と、メダルの払出しを検知する第1払出しセンサ（払出しセンサ１）３５１および第２払出しセンサ（払出しセンサ２）３５２と、左リール１１０、中リール１１１、右リール１１２の各リールの回転方向の図柄位置を検出するための左リールインデックスセンサ３５３、中リールインデックスセンサ３５４、および、右リールインデックスセンサ３５５がそれぞれ接続されている。
【００３４】
ＲＯＭ（リード・オンリー・メモリ）３１２は、各種制御を行うためのプログラムや、後述する各種テーブルデータ等を記憶する記憶手段の一つである。ＲＡＭ（ランダム・アクセス・メモリ）３１３は、ＭａｉｎＣＰＵ３１０によって処理されるプログラムのワークエリアを有し、可変データ等を記憶する記憶手段の一つである。本実施例１では、このようにＲＯＭおよびＲＡＭを採用しているが、他の記憶手段も採用可能であることはいうまでもない。この点は後述する副制御部においても同様である。
【００３５】
さらに、ＭａｉｎＣＰＵ３１０には、出力インターフェース３３２およびバス３７０を介して、左リール１１０、中リール１１１、右リール１１２の各リールの回転駆動を行うモータ（図示省略）を制御するための左リールモータ駆動部３２１、中リールモータ駆動部３２２、および、右リールモータ駆動部３２３と、メダル払出装置（いわゆるホッパー：図示省略）を制御するホッパー駆動部３３１と、遊技ランプ３８０（具体的には、入賞ライン表示ランプ１２０、スタートランプ１２１、再遊技ランプ１２２、告知ランプ１２３、メダル投入ランプ１２４等）と、７セグメント（ＳＥＧ）表示器３９０（払出枚数表示器１２５、遊技回数表示器１２６、貯留枚数表示器１２７等）がそれぞれ接続されている。
【００３６】
また、ＭａｉｎＣＰＵ３１０は、出力インターフェース３３２を介して、各種の主制御コマンドを副制御部４００の入力インターフェース４３０へ送信する。
【００３７】
<副制御部>
【００３８】
次に、同図を用いて、スロットマシン１００の副制御部４００について説明する。
【００３９】
マイクロプロセッサ（以下、ＳｕｂＣＰＵと称す）４１０は、主制御部３００から送信された各種コマンドを入力インターフェース４３０およびバス４７０を介して受信し、受信したコマンドの内容に応じて副制御部４００全体を制御する。
ＲＯＭ４１１は、副制御部４００全体を制御するためのプログラムやデータ等を記憶する記憶手段の一つである。ＲＡＭ４１２は、ＳｕｂＣＰＵ４１０で処理されるプログラムのワークエリアを有し、可変データ等を記憶する記憶手段の一つである。
【００４０】
演出用発光表示部４５０は、上部ランプ１５０、サイドランプ１５１、中央ランプ１５２、腰部ランプ１５３、下部ランプ１５４、受け皿ランプ１５６をまとめて表したもので、出力インターフェース４２０およびバス４７０を介してＳｕｂＣＰＵ４１０に接続され、このＳｕｂＣＰＵ４１０の指示に従って点灯／点滅／消灯する。
【００４１】
楽音信号形成部４６０は、ＳｕｂＣＰＵ４１０から受け渡された制御信号やデータに基づいて、楽音信号を形成して出力する。この楽音信号は、アンプ４６１で増幅された後、スピーカ（具体的には上部スピーカおよび中央スピーカ）４６２から音として出力される。  また、ＳｕｂＣＰＵ４１０は、出力インターフェース４４０を介して、各種制御データを表示制御部５００へ送信する。
【００４２】
<表示制御部>
【００４３】
次に、同図を用いて、スロットマシン１００の表示制御部５００について説明する。
【００４４】
マイクロプロセッサ（以下、第２のＳｕｂＣＰＵと称す）５１０は、副制御部４００から送信された各種制御データを入力インターフェース５３０およびバス５７０を介して受信し、受信したコマンドの内容に応じて液晶表示装置（ＬＣＤ）１５８を制御する。
【００４５】
ＲＯＭ５１１は、表示制御部５００全体を制御するためのプログラムやデータ等を記憶する記憶手段の一つである。
【００４６】
ＶＤＰ５５０は、第２のＳｕｂＣＰＵ５１０の指示に従って、出力インターフェース５５３を介して液晶表示装置１５７に表示データ等を送信する。なお、ＲＯＭ５５２は、表示データ等を記憶する記憶手段の一つである。
【００４７】
<可変表示装置>
【００４８】
図３はリールボックス６００内に３つの可変表示装置６０２を収容した様子を示す外観斜視図である。
【００４９】
各可変表示装置６０２は、同図に示されるように、複数の金属板によって構成されたリールボックス６００に収容され、スロットマシン１００の中央内部に配設される。
【００５０】
図４（ａ）は可変表示装置６０２を構成する部材を分解して示した分解斜視図である。また、図５（ａ）は可変表示装置６０２を組み立てた状態を示す略示側面図であり、同図（ｂ）はその略示正面図である。また、図６（ａ）および（ｂ）は、可変表示装置６０２を組み立てた状態を示す略示断面図である。なお、図５（ａ）および（ｂ）ならびに図６（ａ）および（ｂ）では、説明の都合上、一部の部材の図示を省略している。
【００５１】
図４（ａ）に示されるように、この可変表示装置６０２は、リール１１０（１１１、１１２）と、このリールを回転駆動する駆動装置６０４と、リール１１０（１１１、１１２）の回転位置を検出する回転検出装置６０６と、を有して構成されている。
【００５２】
<リール>
【００５３】
リール１１０（１１１、１１２）は、薄肉円筒状のリール帯６１０と、このリール帯６１０の左側側面に取り付けられ、リール帯６１０の左側側面を支持する第１リール枠６１２と、リール帯６１０の右側側面に取り付けられ、リール帯６１０の右側側面を支持する第２リール枠６１４によって構成されている。
【００５４】
図７は各リール１１０〜１１２のリール帯６１０に施される図柄の配列を平面的に展開して示した図である。
【００５５】
リール帯６１０には、複数種類の図柄が所定コマ数（本実施例１では、番号０〜２０の２１コマ）だけ配置される。なお、同図の左端に示した番号０〜２０は、リール帯６１０上の図柄の配置位置を示す番号である。例えば、本実施例１では、左リール１１０のリール帯６１０の番号１のコマには「赤セブン」の図柄、中リール１１１のリール帯６１０の番号１のコマには「リプレイ」の図柄、右リール１１２のリール帯６１０の番号１のコマには「ベル」の図柄、がそれぞれ配置されている。
【００５６】
図４（ａ）に戻って、第１リール枠６１２は、円環状の枠部６１２Ａと、この枠部６１２Ａを基端として枠部６１２Ａの中心部に向けて延出形成された４本の支持部６１２Ｂと、この４本の支持部６１２Ｂの先端部を一体に繋ぐように形成された略円板状の取付部６１２Ｃと、によって構成されている。そして、４本の支持部６１２Ｂのうちの１本には、板状の遮光片６１２Ｄが回転検出装置６０６に向かう方向に突出形成されている。また、取付部６１２Ｃの駆動装置６０４側端面には、外周にスプラインが形成された略円柱状のスプライン部６１２Ｅが形成されている。
【００５７】
第２リール枠６１４は、この第１リール枠６１２の枠部６１２Ａと略同一径の円環状の部材からなり、リール帯６１０を挟んで第１リール枠６１２の反対側に配設される。
【００５８】
<駆動装置>
【００５９】
駆動装置６０４は、駆動モータ６１６と、この駆動モータ６１６のモータ軸６１６Ａに取り付けられる駆動ギヤ６１８と、この駆動ギヤ６１８と噛合する可動体ギヤ６２０と、この可動体ギヤ６２０およびリール１１０（１１１、１１２）をワッシャ６２１およびベアリング６２２を介して回転可能に支持する支持軸６２３と、この支持軸６２３と同軸的に配設されるブレーキ体６３０と、によって構成されている。なお、駆動モータ６１６およびブレーキ体６３０は、複数の取付ネジ６２４によって板状の金属枠体６２６に固定支持されている。また、支持軸６２３は、取付ネジ６２４によってブレーキ体６３０に固定支持されている。
【００６０】
駆動モータ６１６は、本実施形態では、ステッピングモータによって構成されている。なお、本発明に係る「駆動モータ」はステッピングモータに限定されるものではなく、例えば、ＡＣモータ、ＤＣモータ、サーボモータなどを適用することもできる。
【００６１】
駆動ギヤ６１８は、ヘリカルギヤによって構成されている。
【００６２】
可動体ギヤ６２０は、図６に示されるように、略円筒状の取付部６２０Ａと、取付部６２０Ａの第１リール枠６１２側の端部において取付部６２０Ａよりも大径に形成される略円筒状の接続部６２０Ｂと、接続部６２０Ｂからブレーキ体６３０側に向けて漸次外径が拡大するテーパが付けられた筒状の摺動部６２０Ｃと、摺動部６２０Ｃのブレーキ体側端部において鍔状に形成される被動ギヤ部６２０Ｄと、によって構成されている。取付部６２０Ａには、内部に圧入されたベアリング６２２を介して支持軸６２３が挿入されている。接続部６２０Ｂは、内周にスプラインが形成されており、第１リール枠６１２のスプライン部６１２Ｅに外側から噛合している。すなわち、可動体ギヤ６２０は、スプラインを介して回転駆動力を伝達可能に第１リール枠６１２に接続されている。また、接続部６２０Ｂの内部には、第１リール枠６１２を可動体ギヤ６２０から遠ざける方向に付勢するウェーブワッシャ６３２が配設されている。摺動部６２０Ｃは、ブレーキ体６３０を外側から覆うように形成されている。被動ギヤ部６２０Ｄは、駆動ギヤ６１８より大径のヘリカルギヤとなっている。
【００６３】
支持軸６２３は、可動体ギヤ６２０の取付部６２０Ａおよび第１リール枠６１２の取付部６１２Ｃの内部に挿入されている。そして、第１リール枠６１２のスプライン部６１２Ｅの端部近傍における支持軸６２３の外周には、第１リール枠６１２を位置決めするためのＥリング６３４が配設されている。これにより、第１リール枠６１２は、支持軸６２３に対してスラスト方向（軸方向）の移動が略不可能となっている。これに対し、可動体ギヤ６２０は、支持軸６２３に対してスラスト方向に移動可能に支持されている。なお、可動体ギヤ６２０の移動量は、駆動ギヤ６１８と噛合可能な範囲内に限定されている。
【００６４】
図４（ａ）に戻って、ブレーキ体６３０は、略円筒状であり、可動体ギヤ６２０側の接触部６３０Ａと、金属枠体６２６側の固定部６３０Ｂと、可動体ギヤ６２０側の端面に形成された凹部６３０Ｃと、外周面に形成された複数の排出溝６３０Ｄと、によって構成されている。接触部６３０Ａは、可動体ギヤ６２０側の端部に向けて外径が漸次減少するテーパが付けられている。固定部６３０Ｂは、円筒状であり、取付ネジ６２４が挿入される複数のネジ孔６３０Ｅを備えている。凹部６３０Ｃは、底面に支持軸６２３が固定されている。排出溝６３０Ｄは、可動体ギヤ６２０側の端部から接触部６３０Ａを経て、固定部６３０Ｂの一部にかけて軸方向に形成されている。このブレーキ体６３０は、図５または図６に示されるように、凹部６３０Ｃ内に可動体ギヤ６２０の取付部６２０Ａが挿入されると共に、可動体ギヤ６２０の摺動部６２０Ｃによって接触部６３０Ａの外周を覆われて配設されている。
【００６５】
<回転検出装置>
【００６６】
図４（ａ）に戻って、回転検出装置６０６は、投光部と受光部からなる光学式のインデックスセンサ６０６Ａと、このインデックスセンサ６０６Ａが取り付けられる取付台座６０６Ｂによって構成されており、インデックスセンサ６０６Ａの投光部と受光部の間を、第１リール枠６１２に設けられた遮光片６１２Ｄが通過するように構成されている。なお、取付台座６０６Ｂは、取付ネジ６２４によって金属枠体６２６に固定される。よって、金属枠体６２６は、略中央に可変表示装置６０２を配設し、可変表示装置６０２の下方に駆動モータ６１６を配設し、可変表示装置６０２の上方に回転検出装置６０６を配設している。
【００６７】
スロットマシン１００は、この回転検出装置６０６の検出結果に基づいて各リール１１０〜１１２上の図柄の回転方向の位置を判断し、目的とする図柄が入賞ライン１１４上に表示されるように各リール１１０〜１１２を停止させる。
【００６８】
次に、可変表示装置６０２の作用について、図６（ａ）および（ｂ）を用いて説明する。
【００６９】
駆動モータ６１６のモータ軸６１６Ａが回転すると、このモータ軸６１６Ａに固定された駆動ギヤ６１８が回転駆動される。そして、この駆動ギヤ６１８の回転により、駆動ギヤ６１８と被動ギヤ部６２０Ｄにおいて噛合している可動体ギヤ６２０が回転駆動される。さらに、この可動体ギヤ６２０の回転により、可動体ギヤ６２０に接続された各リール１１０〜１１２の第１リール枠体６１２が回転駆動される。この結果、第１リール枠体６１２に固定されたリール帯６１０が回転駆動されることになる。すなわち、駆動モータ６１６の動力は、駆動ギヤ６１８→可動体ギヤ６２０→第１リール枠体６１２→リール帯６１０の順で伝達される。
【００７０】
本実施例では、上述の通り、駆動ギヤ６１８、および可動体ギヤ６２０の被動ギヤ部６２０Ｄは、ヘリカルギヤによって構成されているため、駆動ギヤ６１８と可動体ギヤ６２０との間には、動力伝達中に、スラスト方向（軸方向）の荷重（スラスト荷重）が働くことになる。そして、上述の通り、可動体ギヤ６２０は、スラスト方向に移動可能に配設されているため、このスラスト荷重を受けた場合に軸方向のどちらか一方向に移動するようになっている。
【００７１】
このヘリカルギヤに働くスラスト荷重は、回転開始時と回転停止時では、その荷重の向きが変わるため、可動体ギヤ６２０は、回転開始時と回転停止時にそれぞれ逆方向に移動することとなる。本実施例では、可動体ギヤ６２０は、回転開始時にブレーキ体６３０から離れる方向に移動し、回転停止時にブレーキ体６３０に近づく方向に移動するようにヘリカルギヤの向きが設定されている。これにより、可動体ギヤ６２０は、回転開始時および回転中は、ブレーキ体６３０とは接触せずに、隙間Ａを保って回転する（図６（ａ））。そして、回転停止時には、スラスト荷重により、可動体ギヤ６２０の摺動部６２０Ｃの内周面がブレーキ体６３０の接触部６３０Ａの外周面に接触して押圧される（図６（ｂ））。可動体ギヤ６２０は、ブレーキ体６３０を押圧したまま停止することとなるが、その後の回転開始時に再びブレーキ体６３０から離れる方向に移動することとなる。これにより、可動体ギヤ６２０の摺動部６２０Ｃの内周面とブレーキ体６３０の接触部６３０Ａの外周面の間に発生する摩擦力によって可動体ギヤ６２０の回転が制動される。すなわち、リール１１０（１１１、１１２）の回転開始時は、駆動ギヤ６１８が回転を開始し、（それまで回転を停止させている）可動体ギヤ６２０が慣性力により回転を停止させている状態を維持させようとするので、スラスト荷重により可動体ギヤ６２０がブレーキ体６３０から離れる方向に移動する。また、リール１１０（１１１、１１２）の回転中は、駆動ギヤ６１８が可動体ギヤ６２０に回転駆動力を伝達し続けているので、スラスト荷重により可動体ギヤ６２０がブレーキ体６３０から離れる方向に移動したままとなる。さらに、リール１１０（１１１、１１２）の回転停止時は、駆動ギヤ６１８が回転を停止し、（それまで回転している）可動体ギヤ６２０が慣性力により回転している状態を維持させようとするので、スラスト荷重により可動体ギヤ６２０がブレーキ体６３０に近づく方向に移動する。よって、回転停止時のリール１１０（１１１、１１２）は、可動体ギヤ６２０がブレーキ体６３０に近づく方向に移動している間に、回転方向に移動していることとなる。つまり、駆動モータ６１６の停止時は、リール１１０（１１１、１１２）の慣性力による移動を許容して移動後の位置でリール１１０（１１１、１１２）を停止させている。すなわち、駆動モータ６１６を停止した後においても、リール１１０（１１１、１１２）および可動体ギヤ６２０が慣性力により回転し続けようとするのを、この摩擦力が抑制する。この結果、駆動モータ６１６停止時の慣性力に起因する不要な振動の発生が効果的に抑制される。
【００７２】
ブレーキ体６３０は、排出溝６３０Ｄを設けたことで、この摩擦力を安定して発揮することが可能となっている。まず、可動体ギヤ６２０がブレーキ体６３０に接近するときに、可動体ギヤ６２０とブレーキ体６３０の間の空気がこの排出溝６３０Ｄから排出されるため、可動体ギヤ６２０の摺動部６２０Ｃとブレーキ体６３０の接触部６３０Ａは、両者の間の空気に邪魔されることなくスムーズに接触することができる。また、可動体ギヤ６２０が慣性力により回転し、摺動部６２０Ｃと接触部６３０Ａが摺動したときに磨耗粉が生じることがあるが、この磨耗粉は排出溝６３０Ｄから排出されるため、接触面に磨耗粉が残存することがない。これにより、接触が不均一になることや、摩擦力が不安定となることを防ぐことができる。さらに、接触が不均一になることを防ぎ、可動体ギヤ６２０の摺動部６２０Ｃとブレーキ体６３０の接触部６３０Ａの成型誤差によるブレーキの利きの誤差を解消させている。
【００７３】
また、可動体ギヤ６２０の摺動部６２０Ｃおよびブレーキ体６３０の接触部６３０Ａは、回転停止時には接触して適切な摩擦力を発生させ、その後、再度回転を開始するときには、スムーズに離隔するようになっている。このような、適切な摩擦力の発生とスムーズな離隔の両立は、摺動部６２０Ｃおよび接触部６３０Ａのテーパ角を適切に設定することによって達成されている。図４（ｂ）は、摺動部６２０Ｃおよび接触部６３０Ａのテーパ角αを示す図である。適切な摩擦力とスムーズな離隔を両立させるには、テーパ角αは、８度〜１８度が好ましく、１０度〜１６度ならばより好ましい。そして、適切な摩擦力とスムーズな離隔を最もバランスよく両立させるには、１２度〜１４度が望ましい。
【００７４】
また、本実施例では、第１リール枠６１２と可動体ギヤ６２０の間にウェーブワッシャ６３２を配設しているが、このウェーブワッシャ６３２は、第１リール枠６１２を付勢することで、リール１１０（１１１、１１２）の軸方向の傾きや振動を抑制している。すなわち、ウェーブワッシャ６３２は、回転開始時や停止時に可動体ギヤ６２０が移動するときに、第１リール枠６１２のスプライン部６１２Ｅおよび可動体ギヤ６２０の接続部６２０Ｂの間の摩擦等によって、リール１１０（１１１、１１２）が軸方向に動いて振動したり、傾いて揺動したりするのを防いでいる。これにより、本実施例に係る可変表示装置６０２は、リール１１０（１１１、１１２）の回転方向の振動だけでなく、軸方向の振動や揺動も効果的に抑制することを可能としている。
【００７５】
図８（ａ）および（ｂ）は、リール１１０（１１１、１１２）を付勢するその他の方法を示す図である。図８（ａ）に示すように、ウェーブワッシャ６３２の代わりに、コイルスプリング６３６を用いてもよい。また、図８（ｂ）に示すように、支持軸６２３に鍔部６２３Ａを設けて、この鍔部６２３Ａと第１リール枠６１２のスプライン部６１２Ｅの間にウェーブワッシャ６３２またはコイルスプリング６３６を配設するようにしてもよい。すなわち、回転する可動体ギヤ６２０から第１リール枠６１２を付勢するのではなく、回転しない支持軸６２３から第１リール枠６１２を付勢するようにしてもよい。
【００７６】
なお、可動体ギヤ６２０およびブレーキ体６３０の材質は、回転駆動力だけでなくスラスト方向の荷重および摩擦力に耐える強度を有するものであることが必要であり、さらに、耐摩耗性と適切な摩擦力の発生を両立させるものであることが必要である。本実施例では、可動体ギヤ６２０およびブレーキ体６３０の材質として、ポリカーボネイトとガラス繊維の複合材料を採用しているが、これに限定されるものではない。例えば、ポリカーボネイトの代わりにポリブチレンテレフタレートやポリアセタールその他の樹脂を採用してもよいし、ガラス繊維の代わりにその他の繊維を採用してもよいし、金属やセラミックス等で可動体ギヤ６２０およびブレーキ体６３０を形成してもよい。
【００７７】
また、可動体ギヤ６２０の摺動部６２０Ｃの内周面に異なる部材を備えるようにしてもよい。図９は、可動体ギヤ６２０の摺動部６２０Ｃの内周面に摩擦材６３８を備えた場合を示す図である。このように、摺動部６２０Ｃに耐摩耗性の高い材質または大きな摩擦力を発生する材質等からなる摩擦材６３８を備えることで、振動抑制効果をより高めることが可能となる。この摩擦材６３８を備えた可動体ギヤ６２０は、例えば、可動体ギヤ６２０本体をガラス繊維強化ポリカーボネイトとし、摩擦材６３８を炭素繊維強化ポリブチレンテレフタレートとした、二色成形によって構成することができるが、その他の方法によって構成されるものであってもよい。例えば、可動体ギヤ６２０に摩擦材６３８を着脱可能に取り付け、摩擦材６３８を交換可能としたものであってもよい。また、摩擦材６３８をブレーキ体６３０に備えるようにしてもよいのは言うまでもない。
【００７８】
<主制御部メイン処理>
【００７９】
次に、図１０を用いて、主制御部３００のメイン処理について説明する。なお、同図は、主制御部３００のメイン処理の流れを示すフローチャートである。
【００８０】
遊技の基本的制御は、主制御部３００のＭａｉｎＣＰＵ３１０が中心になって行い、電源断等を検知しないかぎり、ＭａｉｎＣＰＵ３１０が同図の主制御部メイン処理を繰り返し実行することにより遊技が進行することになる。
【００８１】
スロットマシン１００に電源が投入されると、まず、各種の初期化処理が実行され、その後、主制御部メイン処理のステップＳ１０１では、メダル投入に関する処理を行う。ここでは、メダルの投入の有無をチェックし、投入されたメダルの枚数に応じて入賞ライン表示ランプ１２０を点灯させる。
【００８２】
ステップＳ１０２では、遊技のスタート操作に関する処理を行う。ここでは、スタートレバー１３５が操作されたか否かのチェックを行い、スタート操作されたと判断した場合は、投入されたメダル枚数を確定する。
【００８３】
ステップＳ１０３では、有効な入賞ライン１１４を確定する。
【００８４】
ステップＳ１０４では、乱数発生器３１７で発生させた乱数を取得する。
【００８５】
ステップＳ１０５では、ステップＳ１０４で取得した乱数値と、ＲＯＭ３１２に格納されている入賞役抽選テーブルを用いて、入賞役の内部抽選を行う。
【００８６】
ステップＳ１０６では、リール回転開始処理により、全リール１１０〜１１２の回転を開始させる。この際、ステップＳ１０５の内部抽選結果等に基づき、停止位置データ選択テーブルを参照し、いずれか一つのリール停止制御テーブルを選択する。
【００８７】
ステップＳ１０７では、リール停止制御処理により、押されたストップボタン１３７〜１３９に対応するリール１１０〜１１２の回転を停止させる。この際、各リール１１０〜１１２を、ステップＳ１０６で選択したリール停止制御テーブルに基づいて停止させる。
【００８８】
ステップＳ１０８では、ストップボタン１３７〜１３９が押されることによって停止した図柄の入賞判定を行う。ここでは、有効化された入賞ライン１１４上に、内部当選した入賞役またはフラグ持越し中の入賞役に対応する入賞図柄組合せが揃った（表示された）場合にその入賞役に入賞したと判定する。例えば、有効化された入賞ライン１１４上に、「リプレイ−リプレイ−リプレイ」が揃っていたならばリプレイ入賞と判定する。
【００８９】
ステップＳ１０９では、メダル払出処理を行う。このメダル払出処理では、払い出しのある何らかの入賞役に入賞していれば、その入賞役に対応する枚数のメダルを払い出す。
【００９０】
ステップＳ１１０では、遊技状態制御処理を行う。この遊技状態制御処理では、遊技状態を移行するための制御が行われる。
【００９１】
以上説明したように、本実施例１に係るスロットマシン１００は、駆動モータ６１６と、駆動モータ６１６と動力伝達可能に連結されたヘリカルギヤで構成される駆動ギヤ６１８と、駆動ギヤ６１８と噛合したヘリカルギヤで構成される可動体ギヤ６２０と、可動体ギヤ６２０と動力伝達可能に連結された可動体（本実施例では、リール）１１０〜１１２と、ブレーキ体６３０と、を有し、駆動ギヤ６１８および可動体ギヤ６２０の少なくとも一方は、駆動ギヤ６１８および可動体ギヤ６２０が互いに噛合可能な範囲内でスラスト方向に移動可能であり、ブレーキ体６３０は、駆動ギヤ６１８および可動体ギヤ６２０の少なくとも一方がスラスト方向に移動した場合に、駆動ギヤ６１８、可動体ギヤ６２０および可動体１１０〜１１２の少なくとも一つと当接するように配設されるため、回転停止時に可動体ギヤ６２０をブレーキ体６３０に接触させて摩擦力を発生させることにより、可動体１１０〜１１２の慣性力による回転を制動して、可動体の回転停止時の振動を効果的に抑制することができる。これにより、駆動ギヤ６１８と可動体ギヤ６２０を採用して駆動モータ６１６の小型化を図りながらも、可動体１１０〜１１２の回転停止時の振動を抑制することができる。
【００９２】
また、可動体ギヤ６２０は、駆動モータ６１６が駆動を開始した場合に、ブレーキ体６３０から離れる方向に移動し、駆動モータ６１６が駆動を停止した場合に、ブレーキ体６３０と当接する方向に移動するため、可動体１１０〜１１２が回転しているときには、可動体ギヤ６２０とブレーキ体６３０は接触せず、可動体１１０〜１１２の回転を妨げるようなことはないようにしながらも、回転を停止するときには、可動体ギヤ６２０とブレーキ体６３０を速やかに接触させて、可動体１１０〜１１２を制動することができる。
【００９３】
また、ブレーキ体６３０は、駆動モータ６１６が駆動を停止した場合に可動体１１０〜１１２の動作を停止させるように機能するため、可動体１１０〜１１２の回転停止時の振動を効果的に抑制することができる。
【００９４】
また、可動体１１０〜１１２を回転可能に支持する支持体（本実施例では、支持軸）６２３をさらに有し、可動体１１０〜１１２は、複数種類の図柄が施されたリール帯６１０と、リール帯６１０を支持するリール枠６１２、６１４と、を有して構成される回転体であり、支持体６２３は、可動体１１０〜１１２のスラスト方向の移動を抑止するため、可動体ギヤ６２０がスラスト荷重を受けてスラスト方向に移動した場合にも、可動体１１０〜１１２がそれに引っ張られて移動しないようにすることができる。
【００９５】
また、可動体ギヤ６２０は、可動体１１０〜１１２をスラスト方向に付勢する付勢部（本実施例では、ウェーブワッシャ）６３２を備えるため、可動体ギヤ６２０の移動に伴い、可動体１１０〜１１２がスラスト方向に振動または揺動するのを防ぐことができる。
【００９６】
なお、本発明に係る駆動ギヤ、可動体ギヤおよびブレーキ体の構造は、上述したものに限定されるものではない。以下、その他の構造の可動体ギヤおよびブレーキ体について説明する。
【００９７】
図１１（ａ）〜（ｄ）は、可動体ギヤ７２０およびブレーキ体７３０を示す概略図である。同図（ａ）に示されるように、可動体ギヤ７２０は、駆動ギヤ６１８と噛合する被動ギヤ部７２０Ｄの金属枠体６２６側端面に摺動部７２０Ｃを有している。そして、ブレーキ体７３０は、基端を金属枠体６２６に固定される円柱状であり、先端面に接触部７３０Ａを有している。そして、上述同様に可動体ギヤ６２０は、回転開始時にブレーキ体６３０から離れる方向に移動し（図１１（ｂ））、回転停止時にブレーキ体６３０に近づく方向に移動する（図１１（ｃ））。
【００９８】
なお、ブレーキ体７３０は、図１１（ａ）〜（ｃ）に示されるように、１つのみを配設してもよいし、図１１（ｄ）に示されるように、支持軸６２３周囲の円周上に複数を並べて配設してもよい。この場合、ブレーキ体７３０と接触したときに、可動体ギヤ７２０が傾くのを防止することができる。また、ブレーキ体７３０の形状は、円形の接触部７３０Ａを有するものに限られるものではなく、例えば、図１１（ｄ）に示したブレーキ体７３０のいくつかを連結したような、円弧状またはＵ字形状のものであってもよい。
【００９９】
図１２（ａ）〜（ｄ）は、駆動ギヤ７１８、可動体ギヤ７４０およびブレーキ体７５０を示す概略図である。同図（ａ）に示されるように、可動体ギヤ７４０は、摺動部７４０Ｃを有しておらず、摺動部７４０Ｃは、第１リール枠６１２の金属枠体６２６側に設けられる。また、ブレーキ体７５０は、一端を駆動ギヤ７１８の第１リール枠６１２側端面に配設される円盤状であり、他端に接触部７５０Ａを有している。そして、図１２（ｄ）に示されるように、駆動ギヤ７１８は、駆動モータ６１６のモータ軸６１６Ａに接続されるスプライン軸７１８Ａと、スプライン軸７１８Ａの外周部に嵌合するヘリカルギヤである駆動部７１８Ｂと、を有して構成される。すなわち、駆動部７１８Ｂは、スラスト荷重を受けた場合に、スプライン軸７１８Ａに沿って移動可能となっている。そして、ブレーキ体は、駆動部７１８Ｂに配設されており、駆動部と共に移動する。なお、駆動部７１８Ｂは、スプリング７１８Ｃによって軸方向両側から付勢されているため、スラスト荷重を受けていない場合に、駆動部７１８Ｂの位置は略一定に保たれている。
【０１００】
以上の構成により、本構造では、可動体ギヤ７４０は移動せず、駆動ギヤ７１８の駆動部７１８Ｂがスラスト荷重をうけてスラスト方向に移動するようになっている。すなわち、駆動部７１８Ｂは、回転開始時に摺動部７４０Ｃから離れる方向に移動し（図１２（ｂ））、回転停止時に摺動部７４０Ｃに近づく方向に移動する（図１２（ｃ））。本構造によれば、第１リール枠６１２を直接制動することができる。
【０１０１】
なお、摺動部７４０Ｃは第１リール枠６１２に設けられてもよいし、第１リール枠６１２とは別の部材に設けられてもよい。
【０１０２】
図１３（ａ）〜（ｄ）は、駆動ギヤ７１８、可動体ギヤ７６０およびブレーキ体７７０を示す概略図である。本構造は、図１２で説明した駆動ギヤ７１８を用いたその他の構造である。図１３（ａ）に示されるように、可動体ギヤ７６０は、被動ギヤ部７６０Ｄの金属枠体６２６側端面に摺動部７６０Ｃを有している。また、ブレーキ体７７０は、駆動ギヤ７１８よりも大径の円盤状であり、駆動ギヤ７１８の駆動部７１８Ｂの駆動モータ６１６側端面に配設されている。そして、ブレーキ体７７０の接触部７７０Ａは、可動体ギヤ７６０側の端面に設けられている。すなわち、接触部７７０Ａは、駆動ギヤ７１８の駆動モータ６１６側端部から鍔状に張り出している。そして、駆動部７１８Ｂは、上述同様に回転開始時に摺動部７６０Ｃから離れる方向に移動し（図１３（ｂ））、回転停止時に摺動部７６０Ｃに近づく方向に移動する（図１３（ｃ））。
【０１０３】
なお、ブレーキ体７７０の構造はそのままに、駆動ギヤ７１８ではなく、可動体ギヤ７６０が動くようにしてもよい。
【０１０４】
図１４（ａ）〜（ｃ）は、駆動ギヤ７１８、可動体ギヤ７８０およびブレーキ体７９０を示す概略図である。本構造は、スラスト荷重を受けた場合に、駆動ギヤ７１８の駆動部７１８Ｂおよび可動体ギヤ７９０の両者が移動するものである。同図（ａ）に示されるように、可動体ギヤ７８０は、被動ギヤ部７８０Ｄの第１リール枠６１２側に摺動部７８０Ｃを有している。本構造では、さらに駆動ギヤ７１８の駆動部７１８Ｂの駆動モータ６１６側端面にも摺動部７８０Ｃが設けられている。そして、ブレーキ体７９０は、２つの摺動部７８０Ｃに対向する位置に配設され、接触部７９０Ａは、２つの摺動部７８０Ｃにそれぞれ面している。駆動ギヤ７１８の駆動部７１８Ｂおよび可動体ギヤは、それぞれ回転開始時にブレーキ体７９０から離れる方向に移動し（図１４（ｂ））、回転停止時にブレーキ体７９０に近づく方向に移動する（図１４（ｃ））。本構造によれば、可動体ギヤ７８０および駆動ギヤ７１８をそれぞれ制動することで、リール１１０（１１１、１１２）を効果的に制動することができる。
【０１０５】
また、本発明に係る可動体は、上述した回転体（リール）１１０〜１１２に限定されるものではなく、例えば、演出装置１５７の扉装置１６３であってもよい。
【０１０６】
図１５は扉装置１６３と、この扉装置１６３を駆動する駆動装置８００を示した分解斜視図である。
【０１０７】
扉装置１６３は、中央に矩形状の開口部が形成された横長板状体のベース１６３Ａと、このベース１６３Ａの上下に配設される扉レール１６３Ｂと、この扉レール１６３Ｂに沿って直線往復運動可能な扉１６３Ｃと、を有して構成されている。
【０１０８】
駆動装置８００は、駆動モータ８０２と、駆動モータ８０２と動力伝達可能に連結された駆動ギヤ８０４と、駆動ギヤ８０４と噛合する可動体ギヤ８０６と、を有しており、駆動ギヤ８０２および可動体ギヤ８０４が、ヘリカルギヤで構成されている。
【０１０９】
扉装置１６３の各扉１６３Ｃには、それぞれ駆動装置８００の可動体ギヤ８０６と噛合可能なヘリカルギヤ１６３Ｄが形成されており、駆動装置８００によって図中の矢印Ｃ方向に往復直線駆動される。
【０１１０】
このような、往復直線駆動される扉装置１６３においても、上述のリール１１０〜１１２の場合と同様に、駆動ギヤ８０２および可動体ギヤ８０４の少なくとも一方がスラスト方向に移動可能であり、駆動停止時にスラスト荷重を受けてスラスト方向に移動してブレーキ体に接触し、摩擦力を発生するようにすれば、扉装置１６３の駆動停止時の慣性力に起因して発生する振動を効果的に抑制することができる。
【０１１１】
また、本発明に係る遊技台は、「複数種類の図柄が施された複数のリールと、このリールの回転を開始させるためのスタートレバーと、各々のリールに対応して設けられ、リールの回転を個別に停止させるためのストップボタンと、予め定められた役の内部当選の当否を抽選により判定する抽選手段と、この抽選手段の判定結果とストップボタンの操作に基づいて、リールを停止させるリール停止制御手段と、を備え、停止時のリールにより表示される図柄の組合せが、内部当選した役に対応して予め定められた図柄の組合せである場合に前記役に入賞するように構成されたスロットマシン」に好適であるが、上記実施例に示されるようなスロットマシンの構造等に限定されるものではない。
【０１１２】
従って、例えば、上記実施例においては、メダル（コイン）を遊技媒体としたスロットマシンの例を示したが、本発明はこれに限定されるものではなく、例えば、遊技球（例えば、パチンコ玉）を遊技媒体としたスロットマシン（いわゆるパロット）やパチンコ遊技機などにも適用可能である。
【０１１３】
ここで、本発明が適用されるパチンコ遊技機としては、リール（回転体）などの可動体を有し所定の図柄(識別情報)を変動表示する可変表示装置を備え、始動入賞口に遊技球が入って入賞することを契機として、可変表示装置が図柄を変動させた後に停止表示させて、遊技状態の推移を告知するようなパチンコ遊技機が一例として挙げられる。
【０１１４】
このようなパチンコ遊技機では、遊技球が始動入賞口に入球すると、抽選を行い、この抽選結果が当りであるか否かを判定する。そして、この抽選で大当たりに当選すると、可変表示装置により、特定の図柄による組合せ(大当たり図柄；例えば、７７７など)が表示され、大当たり状態に移行する。大当たり状態では、大入賞口が、例えば、所定の時間または所定の回数、開放され続けるので、遊技球は入球しやすい状態となり、遊技者にとって有利な状態が実現されるようになっている。また、特定の図柄による組合せ(大当たり図柄)が、確率変動を伴う大当たり図柄（確変図柄）である場合には、次に大当たりとなる確率が高くなり、遊技者にとってさらに有利な状態が実現される。
【産業上の利用可能性】
【０１１５】
本発明は、スロットマシンやパチンコ遊技機などに代表される遊技台に適用することができる。
【図面の簡単な説明】
【０１１６】
【図１】本発明の実施例１に係るスロットマシン１００の外観斜視図である。
【図２】スロットマシン１００における制御部の回路ブロック図である。
【図３】リールボックス６００内に３つの可変表示装置６０２を収容した様子を示す外観斜視図である。
【図４】（ａ）は可変表示装置６０２を構成する部材を分解して示した分解斜視図であり、（ｂ）は摺動部６２０Ｃおよび接触部６３０Ａのテーパ角αを示す図である。
【図５】（ａ）は可変表示装置６０２を組み立てた状態を示す略示側面図であり、（ｂ）はその略示正面図である。
【図６】（ａ）および（ｂ）は可変表示装置６０２を組み立てた状態を示す略示断面図である。
【図７】各リール１１０〜１１２のリール帯６１０に施される図柄の配列を平面的に展開して示した図である。
【図８】（ａ）および（ｂ）はリール１１０（１１１、１１２）を付勢するその他の方法を示す図である。
【図９】可動体ギヤ６２０の摺動部６２０Ｃの内周面に摩擦材６３８を備えた場合を示す図である。
【図１０】主制御部３００のメイン処理の流れを示すフローチャートである。
【図１１】（ａ）〜（ｄ）は可動体ギヤ７２０およびブレーキ体７３０を示す概略図である。
【図１２】（ａ）〜（ｄ）は駆動ギヤ７１８、可動体ギヤ７４０およびブレーキ体７５０を示す概略図である。
【図１３】（ａ）〜（ｄ）は駆動ギヤ７１８、可動体ギヤ７６０およびブレーキ体７７０を示す概略図である。
【図１４】（ａ）〜（ｃ）は駆動ギヤ７１８、可動体ギヤ７８０およびブレーキ体７９０を示す概略図である。
【図１５】扉装置１６３と、この扉装置１６３を駆動する駆動装置８００を示した分解斜視図である。
【符号の説明】
【０１１７】
１００・・・スロットマシン
１１０、１１１、１１２・・・リール
６１０・・・リール帯
６１２・・・第１リール枠
６１４・・・第２リール枠
６１６・・・駆動モータ
６１８・・・駆動ギヤ
６２０・・・可動体ギヤ
６２３・・・支持軸
６３０・・・ブレーキ体
６３２・・・ウェーブワッシャ
【図１】
2008212516.tif 000003
【図２】
2008212516.tif 000004
【図３】
2008212516.tif 000005
【図４】
2008212516.tif 000006
【図５】
2008212516.tif 000007
【図６】
2008212516.tif 000008
【図８】
2008212516.tif 000009
【図９】
2008212516.tif 000010
【図１０】
2008212516.tif 000011
【図１１】
2008212516.tif 000012
【図１２】
2008212516.tif 000013
【図１３】
2008212516.tif 000014
【図１４】
2008212516.tif 000015
【図１５】
2008212516.tif 000016
【図７】
2008212516.tif 000017